(57)【要約】【課題】ケース内への水の浸入を抑制する。【解決手段】蓄電モジュール１０は、外部と接続される端子１３Ａ，１３Ｂと当該端子１３Ａ，１３Ｂに電気的に接続された蓄電要素とを有する蓄電本体１１と、端子１３Ａ，１３Ｂが挿通される端子挿通孔４４が形成され、蓄電本体１１を収容するケース３０と、を備え、ケース３０は、当該ケース３０と端子１３Ａ，１３Ｂとの間の隙間を塞いで外部からの水の浸入を抑制する第１防水部４５を備えている。【選択図】図５
2016031915.tif 000002
【特許請求の範囲】
【請求項１】
外部と接続される端子と当該端子に電気的に接続された蓄電要素とを有する蓄電本体と、
前記端子が挿通される端子挿通孔が形成され、前記蓄電本体を収容するケースと、を備え、
前記ケースは、当該ケースと前記端子との間の隙間を塞いで外部からの水の浸入を抑制する第１防水部を備えている蓄電モジュール。
【請求項２】
前記端子の外周に密着状態で全周を包囲する端子包囲部と、前記端子包囲部の外周に装着される第１シール部材とを備えており、
前記第１防水部は、前記第１シール部材に密着する請求項１に記載の蓄電モジュール。
【請求項３】
前記ケースは、開口部を有するケース本体と、前記開口部を閉鎖し、前記端子挿通孔が形成された蓋部とを有し、
前記蓋部に前記第１防水部が形成されている請求項１又は請求項２に記載の蓄電モジュール。
【請求項４】
前記蓋部は、前記ケース本体にネジ留めされている請求項３に記載の蓄電モジュール。
【請求項５】
前記蓋部と前記ケース本体との間には第２シール部材が配されており、前記ケースは、前記第２シール部材に密着して前記蓋部と前記ケース本体との間からの水の浸入を抑制する第２防水部を備えている請求項３又は請求項４に記載の蓄電モジュール。
【請求項６】
前記蓄電本体は、扁平な形状であって、
前記端子は、前記蓄電本体の扁平な面に沿う方向に延びており、
前記蓋部は、前記ケース本体の外側に装着されている請求項３ないし請求項５のいずれか一項に記載の蓄電モジュール。
【請求項７】
前記蓄電本体は、扁平な形状であって、
前記端子は、前記蓄電本体の扁平な面に交差する方向に延びており、
前記蓋部は、前記ケース本体の内側に装着されている請求項３ないし請求項５のいずれか一項に記載の蓄電モジュール。
【請求項８】
外部と接続される端子と当該端子に電気的に接続された蓄電要素とを有する蓄電本体と、前記端子が挿通される端子挿通孔が形成され、前記蓄電本体を収容するケースと、を備えた蓄電モジュールの防水構造であって、
前記ケースは、当該ケースと前記端子との間の隙間を塞いで外部からの水の浸入を抑制する第１防水部を備えている蓄電モジュールの防水構造。
【発明の詳細な説明】
【技術分野】
【０００１】
本発明は、蓄電モジュール及び蓄電モジュールの防水構造に関する。
【背景技術】
【０００２】
従来、正極および負極のリード端子を有する蓄電素子をケースに収容してなる蓄電モジュールが知られている。特許文献１では、単電池を積層してなる積層体がケース本体と蓋部とからなるケースに収容されている。蓋部には積層体の正負の電極であるバスバーが導出されるバスバー導出口が貫通している。
【先行技術文献】
【特許文献】
【０００３】
【特許文献１】特開２０１４−７８３７２号公報
【発明の概要】
【発明が解決しようとする課題】
【０００４】
ところで、蓄電モジュールは、外部から水が入らない場所に配置することが望ましいが、配置の制約等の理由から外部から水が入る可能性のある場所に配置せざるを得ない場合も考えられる。このように蓄電モジュールを外部から水が入る可能性がある場所に配置する場合には、内部に水が浸入しないようにする必要がある。仮に特許文献１の蓄電モジュールが水を受ける場所に配置される場合には、バスバーとバスバー導出口の間の隙間から水が浸入することが懸念される。
【０００５】
本発明は上記のような事情に基づいて完成されたものであって、ケース内への水の浸入を抑制することを目的とする。
【課題を解決するための手段】
【０００６】
本発明の蓄電モジュールは、外部と接続される端子と当該端子に電気的に接続された蓄電要素とを有する蓄電本体と、前記端子が挿通される端子挿通孔が形成され、前記蓄電本体を収容するケースと、を備え、前記ケースは、当該ケースと前記端子との間の隙間を塞いで外部からの水の浸入を抑制する第１防水部を備えている。
【０００７】
本発明の蓄電モジュールの防水構造は、外部と接続される端子と当該端子に電気的に接続された蓄電要素とを有する蓄電本体と、前記端子が挿通される端子挿通孔が形成され、前記蓄電本体を収容するケースと、を備えた蓄電モジュールの防水構造であって、前記ケースは、当該ケースと前記端子との間の隙間を塞いで外部からの水の浸入を抑制する第１防水部を備えている。
【０００８】
上記構成によれば、第１防水部により、ケースと端子との間の隙間を通って外部からケース内へ水が浸入することを抑制することが可能になる。
【０００９】
本発明の実施態様としては以下の態様が好ましい。
・前記端子の外周に密着状態で全周を包囲する端子包囲部と、前記端子包囲部の外周に装着される第１シール部材とを備えており、前記第１防水部は、前記第１シール部材に密着する。
このようにすれば、端子包囲部が端子の全周に密着することで端子を伝う水の浸入を抑制することができる。また、端子包囲部を水が伝う場合は、第１防水部が第１シール部材に密着することで内部への水の浸入を抑制できる。このように、ケースと端子との間を端子包囲部を介して防水することで、第１防水部を直接端子に密着させて防水するよりも第１防水部による防水構造を簡素化することができる。
【００１０】
・前記ケースは、開口部を有するケース本体と、前記開口部を閉鎖し、前記端子挿通孔が形成された蓋部とを有し、前記蓋部に前記第１防水部が形成されている。
このようにすれば、蓋部を閉じれば第１防水部による防水を行うことができる。
【００１１】
・前記蓋部は、前記ケース本体にネジ留めされている。
このようにすれば、ネジ留めの際の力で第１防水部がケースと端子との間の隙間を確実に塞ぐことが可能になる。
【００１２】
・前記蓋部と前記ケース本体との間には第２シール部材が配されており、前記ケースは、前記第２シール部材に密着して前記蓋部と前記ケース本体との間からの水の浸入を抑制する第２防水部を備えている。
【００１３】
・前記蓄電本体は、扁平な形状であって、前記端子は、前記蓄電本体の扁平な面に沿う方向に延びており、前記蓋部は、前記ケース本体の外側に装着されている。
【００１４】
・前記蓄電本体は、扁平な形状であって、前記端子は、前記蓄電本体の扁平な面に交差する方向に延びており、前記蓋部は、前記ケース本体の内側に装着されている。
【発明の効果】
【００１５】
本発明によれば、ケース内への水の浸入を抑制することが可能になる。
【図面の簡単な説明】
【００１６】
【図１】実施形態１の蓄電モジュールを示す斜視図
【図２】蓄電モジュールを示す平面図
【図３】蓄電モジュールを示す側面図
【図４】図２のＡ−Ａ断面図
【図５】図４の一点鎖線の内側を拡大した図
【図６】第１シール部材の端子包囲部への取り付けを説明する斜視図
【図７】蓄電ユニットを示す平面図
【図８】蓄電ユニットを示す側面図
【図９】一方の蓋部を示す背面図
【図１０】図９のＢ−Ｂ断面図
【図１１】他方の蓋部を示す背面図
【図１２】図１１のＣ−Ｃ断面図
【図１３】蓄電ユニットをロアケースに収容する様子を示す斜視図
【図１４】蓄電ユニットがロアケースに収容された状態で蓋部の取り付けを説明する斜視図
【図１５】蓄電ユニットがロアケースに収容された状態でアッパーケースの取り付けを説明する斜視図
【図１６】実施形態２の蓄電モジュールを示す斜視図
【図１７】蓄電モジュールを示す平面図
【図１８】蓄電モジュールを示す側面図
【図１９】図１７のＤ−Ｄ断面図
【図２０】図１９の一点鎖線の内側を拡大した図
【図２１】第１シール部材の端子包囲部への取り付けを説明する斜視図
【図２２】蓄電ユニットを示す正面図
【図２３】一方の蓋部を示す背面図
【図２４】図２３のＥ−Ｅ断面図
【図２５】他方の蓋部を示す背面図
【図２６】図２５のＦ−Ｆ断面図
【図２７】蓄電ユニットをロアケースに収容する様子を示す斜視図
【図２８】蓄電ユニットがロアケースに収容された状態で蓋部の取り付けを説明する斜視図
【図２９】蓄電ユニットがロアケースに収容された状態でアッパーケースの取り付けを説明する斜視図
【発明を実施するための形態】
【００１７】
＜実施形態１＞
本発明の実施形態１につき、図１ないし図１５を参照しつつ説明する。本実施形態に係る蓄電モジュール１０は、電気自動車、ハイブリッド車、ガソリン車、ディーゼル車等の車両に搭載され、例えば、ハイブリッド車等では、雨滴や洗車時の水の浸入を受けうるエンジンルーム内に配することができる。以下の説明においては、Ｘ方向を前方、Ｙ方向を右方、Ｚ方向を上方として説明する。 
【００１８】
（蓄電モジュール１０）
蓄電モジュール１０は、図２，図４に示すように、蓄電ユニット１９と、蓄電ユニット１９を収容するケース３０とを備えている。蓄電ユニット１９は、蓄電本体１１と、蓄電本体１１の状態を制御する電子制御ユニット２２とを備え、これらが一体的に形成されている。
（蓄電本体１１）
蓄電本体１１は、内部に電気の充放電が可能な蓄電要素を有する扁平な長方形状の蓄電部１２と、蓄電部１２の内部の蓄電要素と電気的に接続されて外部に導出された一対の板状の端子１３Ａ，１３Ｂとを有する。
【００１９】
蓄電部１２は、本実施形態では、内部に積層された複数の蓄電素子（図示しない）が直列接続されたものが用いられている。なお、これに限られず、１つの蓄電素子から蓄電部が構成されるようにしてもよい。
【００２０】
一対の端子１３Ａ，１３Ｂは、正極及び負極の電極端子であって、蓄電部１２の前端面から前方（水平）に長方形状に突出している。端子１３Ａ，１３Ｂは、例えば、銅、銅合金、アルミニウム、アルミニウム合金等の金属からなり、通電電流に応じた所定の厚みを有するバスバーである。端子１３Ａ，１３Ｂには、外部の端子をボルト締めして接続するための円形状のボルト孔１４が貫通形成されている。
【００２１】
端子１３Ａ，１３Ｂには、図５に示すように、絶縁性の合成樹脂からなる円板状の端子包囲部１５が端子１３Ａ，１３Ｂの外周の全周に密着している。端子包囲部１５は、外周に第１シール部材２０が装着される径大部１６と、径大部１６の前後に連なり、径大部１６よりも外径が小さい径小部１８とを備えている。前後の径小部１８は、それぞれ径大部１６の前後に所定の長さで形成されており、前側の径小部１８の前端は、蓋部４３Ａ，４３Ｂにおける端子挿通孔４４の孔縁部に当接している。径大部１６の外周には、第１シール部材２０が嵌められる環状の溝部１７が形成されている。溝部１７は、径大部１６の外周の全周に一定の深さで形成されており、第１シール部材２０を嵌め入れた際に第１シール部材２０が溝部１７からわずかにはみ出る深さで形成されている。第１シール部材２０は、弾性変形可能なゴム等の材料で形成されたＯリングからなる。
【００２２】
端子包囲部１５は、金型内に端子１３Ａ，１３Ｂを配置し、樹脂を金型内に充填するインサート成形によって形成される。このように、端子包囲部１５をインサート成形することで、端子１３Ａ，１３Ｂと端子包囲部１５の間については、隙間が形成されず、密着した状態となる。
【００２３】
電子制御ユニット２２は、マイクロコンピュータ、素子等が搭載されたものであって、単電池の電圧・電流・温度等の検知、各単電池の充放電コントロール等を行うための機能を備えている。電子制御ユニット２２は、扁平な長方形状であって、蓄電部１２に重ねられている。
【００２４】
（ケース３０）
ケース３０は、図４，図１４に示すように、左右一対の開口部３５が形成されたケース本体３１と、一対の開口部３５を外側から覆う左右一対の蓋部４３（図１４では一方を４３Ａ，他方を４３Ｂとして図示）とを備える。
（ケース本体３１）
ケース本体３１は、上方側が開放された箱形のロアケース３２と、ロアケース３２の上方側を覆うアッパーケース４１とを備えている。
【００２５】
ロアケース３２は、底板の中心部に配されるアルミニウム又はアルミニウム合金からなるプレート３２Ａを合成樹脂でインサート成形したものであり、蓄電ユニット１９が収容される。ロアケース３２は、長方形状の底板の縁部から壁３３が起立している。壁３３の上端には、パッキン５４を嵌め入れる溝３４が壁３３の全周に形成されている。壁３３の上端部の外側には、ネジ留めするためのボス部３９が外側に張り出している。各ボス部３９には、ネジ孔３９Ａが形成されている。
【００２６】
ロアケース３２の壁３３のうち、端子１３Ａ，１３Ｂが配される側である前壁３３Ａには、左右方向に長い長方形状の左右一対の開口部３５が貫通形成されている。前壁３３Ａの前面のうち、開口部３５の縁部には、第２シール部材４０を嵌め入れるシール溝３６が形成されている。第２シール部材４０は、弾性変形可能なゴム等の材料で形成されたパッキンからなる。シール溝３６は、開口部３５の縁部の全周に環状に形成されている。シール溝３６は、第２シール部材４０を嵌め入れた際に、第２シール部材４０がわずかにはみ出る深さで形成されている。
【００２７】
シール溝３６の外側には、蓋部４３Ａ，４３Ｂをネジ留めするためのボスからなる留め部３７が設けられている。留め部３７には、ネジ孔３８が形成されている。
【００２８】
アッパーケース４１は、例えば、アルミニウム又はアルミニウム合金からなり、図１５に示すように、長方形の板状であって、中央部が下方に窪んでいる。アッパーケース４１の周縁部には、ネジ留めするためのネジ５２を通す通し孔４２が貫通形成されている。
【００２９】
（蓋部４３Ａ，４３Ｂ）
蓋部４３Ａ，４３Ｂは、絶縁性の合成樹脂から形成された長方形の板状であって、図１４に示すように、端子１３Ａ，１３Ｂがわずかな隙間を有して挿通されるスリット状の端子挿通孔４４が貫通形成されている。蓋部４３Ａ，４３Ｂの前面には、作業者が掴むことが可能な絶縁壁４９が前面に直角に起立している。蓋部４３Ａ，４３Ｂの周縁部のうちの角部には、ネジ留めのためのネジ５３の軸部がネジ挿通される円形状のネジ挿通孔５１が貫通形成されている。ネジ挿通孔５１の孔径は、ネジ５３の軸部の外径よりもやや大きくされており、ネジ挿通孔５１とネジ孔３８との軸心がやや位置ずれしていてもネジ留めすることができる。
【００３０】
蓋部４３Ａ，４３Ｂの背面側には、図９，図１１に示すように、第１シール部材２０に密着する円環状の第１防水部４５と、第２シール部材４０に密着する角環状の第２防水部４７と、が後方側に突設されている。
【００３１】
第１防水部４５は、端子挿通孔４４の中心を軸として真円形状に形成されており、一定の突出寸法で蓋部４３Ａ，４３Ｂの背面から直角に起立している。この第１防水部４５の内周面４６は、第１シール部材２０の外周の全周に嵌合状態で密着する。
第１防水部４５の先端部には、全周に亘って内面側を傾斜状に切り欠いたテーパ面４６Ａが形成されており、第１シール部材２０が装着された端子包囲部１５が第１防水部４５内に嵌め入れられる際にテーパ面４６Ａによって案内される。
【００３２】
第２防水部４７は、左右方向に延びる長辺と、上下方向に延びる短辺とを有する角筒状に形成されており、第１防水部４５よりも低い一定の突出寸法で、かつ、第１防水部４５の幅より大きいほぼ一定の幅寸法で蓋部４３Ａ，４３Ｂの背面から張り出している。
蓋部４３Ａ，４３Ｂの前面における第２防水部４７の反対側の位置には、第２防水部４７を形成することにより角環状に窪んだ陥没部５０とされている（図１０，図１２参照）。
【００３３】
電池モジュール１０の組み付けについて説明する。
図６に示すように、蓄電ユニット１９の端子１３Ａ，１３Ｂを包囲する端子包囲部１５に第１シール部材２０を装着する（図７）。
次に、図１３に示すように、蓄電本体１１及び電子制御ユニット２２をロアケース３２に収容する。そして、図１４に示すように、ロアケース３２のシール溝３６に、第２シール部材４０を嵌め入れ、ネジ５３で蓋部４３Ａ，４３Ｂを留め部３７にネジ留めする。これにより、第１防水部４５の内周面４６が第１シール部材２０を押圧して密着するとともに、第２防水部４７の後端面が第２シール部材４０を押圧して密着する。
次に、図１５に示すように、ロアケース３２の溝３４にパッキン５４を装着してアッパーケース４１を被せ、ネジ５２をボス部３９にネジ留めすると、蓄電モジュール１０が形成される（図１）。
【００３４】
本実施形態によれば、以下の作用、効果を奏する。
本実施形態によれば、ケース３０と端子１３Ａ，１３Ｂとの間の隙間を第１防水部４５が塞ぐことにより、外部からケース３０と端子１３Ａ，１３Ｂとの間の隙間を通ってケース３０内へ水が浸入することを抑制することが可能になる。また、蓄電モジュール１０を外部からの水を受ける可能性がある場所に配置することが可能になる。
【００３５】
また、端子１３Ａ，１３Ｂの外周に密着状態で全周を包囲する端子包囲部１５と、端子包囲部１５の外周に装着される第１シール部材２０とを備えており、第１防水部４５は、第１シール部材２０に密着する。
このようにすれば、端子包囲部１５が端子１３Ａ，１３Ｂの全周に密着することで端子１３Ａ，１３Ｂを伝う水の浸入を抑制することができる。また、端子包囲部１５を水が伝う場合には、第１防水部４５が第１シール部材２０に密着することで端子包囲部１５とケース３０との間の隙間を塞ぐことができるため、ケース３０の内部への水の浸入を抑制できる。このように、ケース３０と端子１３Ａ，１３Ｂとの間を端子包囲部１５を介して防水することで、第１防水部４５を直接端子１３Ａ，１３Ｂに密着させて防水するよりも第１防水部４５による防水構造を簡素化することができる。
【００３６】
更に、ケース３０は、開口部３５を有するケース本体３１と、開口部３５を閉鎖し、端子挿通孔４４が形成された蓋部４３Ａ，４３Ｂとを有し、蓋部４３Ａ，４３Ｂに第１防水部４５が形成されている。
このようにすれば、蓋部４３Ａ，４３Ｂを閉じれば第１防水部４５による防水を行うことができる。
【００３７】
また、蓋部４３Ａ，４３Ｂは、ケース本体３１にネジ留めされている。
このようにすれば、ネジ留めの際の力で第１防水部４５が確実にケース３０と端子１３Ａ，１３Ｂとの間の隙間を塞ぐことが可能になる。
【００３８】
また、蓋部４３Ａ，４３Ｂとケース本体３１との間には第２シール部材４０が配されており、ケース３０は、第２シール部材４０に密着して蓋部４３Ａ，４３Ｂとケース本体３１との間からの水の浸入を抑制する第２防水部４７を備えている。
このようにすれば、蓋部４３Ａ，４３Ｂを閉じることにより、第１防水部４５と第２防水部４７との双方による防水を行うことができる。
【００３９】
＜実施形態２＞
次に、本発明の実施形態２を図１６ないし図２９を参照して説明する。実施形態２は、端子６３Ａ，６３Ｂが蓄電本体の扁平な面に直交する方向（「扁平な面に交差する方向」の一例）に延びている構成に適用されるものである。以下では、実施形態１と同一の構成については同一の符号を付して説明を省略する。
【００４０】
（蓄電モジュール６０）
蓄電モジュール６０は、図１７，図１９に示すように、蓄電ユニット６９と、蓄電ユニット６９を収容するケース７０とを備えている。蓄電ユニット６９は、蓄電本体６１と、蓄電本体６１の状態を制御する電子制御ユニット２２とを備え、これらが一体的に形成されている。
【００４１】
（蓄電本体６１）
蓄電本体６１は、蓄電部１２の前端面の異なる高さから前方に突出するとともに、上方の同じ高さまで延びたＬ字状のバスバーからなる端子６３Ａ，６３Ｂを備えている。端子６３Ａ，６３Ｂには、端子包囲部１５が端子６３Ａ，６３Ｂの外周の全周に密着している。
【００４２】
（ケース７０）
ケース７０は、図１９，図２８に示すように、左右一対の開口部７５が形成されたケース本体７１と、一対の開口部７５を内側から覆う左右一対の蓋部８３（図２８では一方を８３Ａ，他方を８３Ｂとして図示）とを備える。
（ケース本体７１）
ケース本体７１は、上方側が開放された箱形のロアケース７２と、ロアケース７２の上方側を覆うアッパーケース８１とを備えている。ロアケース７２は、底板の中心部に配されるプレート３２Ａを合成樹脂でインサート成形したものであり、内部に蓄電ユニット６９が収容される。ロアケース７２の前壁７２Ａの後方には、Ｕ字状の壁７２Ｂが起立している。
【００４３】
アッパーケース８１は、アルミニウム又はアルミニウム合金からなり、図２９に示すように、中央部が下方に窪んだ長方形の板状であって、左右一対の真円形状の開口部７５が貫通形成されている。各開口部７５の端縁は、下方に曲がっている。開口部７５の周りには、ネジ６８が挿通されるネジ挿通孔９１が形成されている。アッパーケース８１のうち、ネジ挿通孔９１の外側の平板状の部分は、図２０に示すように、第２シール部材４０に密着する第２防水部８７とされている。蓋部８３Ａ，８３Ｂが装着される部分の外側には、下方に叩いて屈曲された形状の曲げ部６７が環状に形成されている。曲げ部６７はアッパーケース８１における蓋部８３Ａ，８３Ｂが装着される部分の強度を高めている。
【００４４】
（蓋部８３Ａ，８３Ｂ）
蓋部８３Ａ，８３Ｂは、絶縁性の合成樹脂から形成された長方形の板状であって、端子６３Ａ，６３Ｂがわずかな隙間を有して挿通されるスリット状の端子挿通孔８４が貫通形成されている。蓋部８３Ａ，８３Ｂの上面には、当該上面に直交する方向に、円筒形状の絶縁壁８９が起立している。絶縁壁８９には、上方に延びる突片８９Ａが形成されている。絶縁壁８９の外側には、第２シール部材４０を嵌め入れるシール溝７６が形成されている。シール溝７６は、第２シール部材４０を嵌め入れた際に、第２シール部材４０がわずかにはみ出る深さで形成されている。シール溝７６の内周の角部の位置には、ネジ６８でネジ留めするためのボスからなる留め部７７が設けられている（図２８参照）。留め部７７には、ネジ孔７８が形成されている。
【００４５】
蓋部８３Ａ，８３Ｂの底面には、図２３，図２５に示すように、第１シール部材２０に密着する円環状の第１防水部８５と、留め部７７の反対側に形成された凸部８８とが突設されている。凸部８８の幅狭の部分の下には、ロアケース７２の壁７２Ｂの上端が近接する位置に配されている。
【００４６】
第１防水部８５は、端子挿通孔８４の中心を軸として真円形状に形成されており、一定の突出寸法で蓋部８３Ａ，８３Ｂの背面から直角に起立している。この第１防水部８５の内周面８６は、第１シール部材２０の外周の全周に嵌合状態で密着する。
【００４７】
電池モジュール１０の組み付けについて説明する。
図２１に示すように、蓄電ユニット６９の端子６３Ａ，６３Ｂを包囲する端子包囲部１５に第１シール部材２０を装着する（図２２）。
次に、図２７，図２８に示すように、蓄電ユニット６９をロアケース７２に収容し、蓋部８３Ａ，８３Ｂの各端子挿通孔８４に端子６３Ａ，６３Ｂを通して、第１シール部材２０が装着された端子包囲部１５を第１防水部８５の内周面８６に嵌め入れる。これにより、第１防水部８５の内周面８６が第１シール部材２０を押圧して密着する。また、蓋部８３Ａ，８３Ｂのシール溝７６に、第２シール部材４０を嵌め入れる。そして、図２９に示すように、ロアケース７２の溝３４にパッキン５４を嵌め入れ、ネジ６８をネジ挿通孔９１に挿通して留め部７７にネジ留めするとともに、ネジ５２を通し孔４２に通してボス部３９にネジ留めすると、第２防水部８７が第２シール部材４０に密着することで防水されるとともに、ロアケース７２とアッパーケース８１との間が防水される。
これにより、蓄電モジュール６０が形成される（図１６）。
【００４８】
＜他の実施形態＞
本発明は上記記述及び図面によって説明した実施形態に限定されるものではなく、例えば次のような実施形態も本発明の技術的範囲に含まれる。
（１）蓄電モジュール１０は、エンジンルームに配されることとしたが、これに限られず、他の場所に配置してもよい。
【００４９】
（２）第１防水部４５，８５は、蓋部４３Ａ，４３Ｂ，８３Ａ，８３Ｂに設けたが、これに限られない。第１防水部を蓋部以外に設けてもよい。例えば、ケース本体に蓄電本体１１，６１の端子１３Ａ，１３Ｂ，６３Ａ，６３Ｂを挿通する端子挿通孔を形成するとともに、ケース本体に第１防水部を設けるようにしてもよい。
（３）蓋部４３は、左右一対設けられることとしたが、これに限られない。１個又は３個以上の蓋部を設けるようにしてもよい。
（４）実施形態２では、端子６３Ａ，６３Ｂは、直角に屈曲されていたが、他の角度（蓄電本体６１の上面と交差する角度）で端子が曲がっているようにしてもよい。
【符号の説明】
【００５０】
１０，６０：  蓄電モジュール
１１，６１：  蓄電本体
１３Ａ，１３Ｂ，６３Ａ，６３Ｂ：端子
１５：  端子包囲部
２０：  第１シール部材
３０，７０：  ケース
３１，７１：  ケース本体
３５,７５：  開口部
３７，７７：  留め部
４０：  第２シール部材
４３，８３（４３Ａ，４３Ｂ，８３Ａ，８３Ｂ）：  蓋部
４４，８４：  端子挿通孔
４５，８５：  第１防水部
４７，８７：  第２防水部
５３，６８：ネジ
【図１】
2016031915.tif 000003
【図２】
2016031915.tif 000004
【図３】
2016031915.tif 000005
【図４】
2016031915.tif 000006
【図５】
2016031915.tif 000007
【図６】
2016031915.tif 000008
【図７】
2016031915.tif 000009
【図８】
2016031915.tif 000010
【図９】
2016031915.tif 000011
【図１０】
2016031915.tif 000012
【図１１】
2016031915.tif 000013
【図１２】
2016031915.tif 000014
【図１３】
2016031915.tif 000015
【図１４】
2016031915.tif 000016
【図１５】
2016031915.tif 000017
【図１６】
2016031915.tif 000018
【図１７】
2016031915.tif 000019
【図１８】
2016031915.tif 000020
【図１９】
2016031915.tif 000021
【図２０】
2016031915.tif 000022
【図２１】
2016031915.tif 000023
【図２２】
2016031915.tif 000024
【図２３】
2016031915.tif 000025
【図２４】
2016031915.tif 000026
【図２５】
2016031915.tif 000027
【図２６】
2016031915.tif 000028
【図２７】
2016031915.tif 000029
【図２８】
2016031915.tif 000030
【図２９】
2016031915.tif 000031